(57)【要約】【課題】全体として一体感のある色彩や材質感を醸し出すことが容易な液体貯留ポットを提供する。【解決手段】内容器１の周囲を囲む上端開放の外装体２を胴部材８と肩部材４とで構成し、前記外装体２の開口部を閉塞する蓋体３を備え、前記胴部材８の開口部に取付けた肩部材４を介して前記内容器１を前記胴部材８に取付けた液体貯留ポットにおいて、前記肩部材４を、前記胴部材８の開口部に取付けられる係止部材５と、前記内容器１を支持する肩部材本体６とから構成し、前記係止部材５と前記肩部材本体６とを結合一体化した。【選択図】図１
2005342019.tif 000002
【特許請求の範囲】
【請求項１】
内容器の周囲を囲む上端開放の胴部材と肩部材とで外装体を構成し、前記外装体の開口部を閉塞する蓋体を備え、前記胴部材の開口部に取付けた肩部材を介して前記内容器を前記外装体に取付けた液体貯留ポットにおいて、前記肩部材を、前記胴部材の開口部に取付けられる係止部材と、前記内容器を支持する肩部材本体とから構成し、前記係止部材と前記肩部材本体とを結合一体化したことを特徴とする液体貯留ポット。
【請求項２】
前記係止部材が、前記胴部材の開口部と嵌合する環状に形成され、前記肩部材本体の側面のうち少なくとも前記胴部材の上端よりも上方に位置する部分を前記蓋体で覆うことを特徴とする請求項１に記載の液体貯留ポット。
【請求項３】
前記肩部材本体の側面と上面が、前記係止部材と前記蓋体とにより覆われたことを特徴とする請求項１または２に記載の液体貯留ポット。
【請求項４】
前記肩部材本体の一部を外方向に拡張することにより前記係止部材の上面越しに形成された湯捨て口を備えたことを特徴とする請求項１から３のいずれかに記載の液体貯留ポット。
【請求項５】
前記係止部材が、前記肩部材本体よりも優れた塗装性を有する素材からなることを特徴とする請求項１から４のいずれかに記載の液体貯留ポット。
【請求項６】
前記肩部材本体に前記蓋体を開閉するためのヒンジ機構を設けたことを特徴とする請求項１から５のいずれかに記載の液体貯留ポット。
【発明の詳細な説明】
【技術分野】
【０００１】
この発明は、電気ポットや保温ポットなどの液体貯留ポットに関する。
【背景技術】
【０００２】
従来から、電気ポットなどの液体貯留ポットには、外装体が上端開放の円筒状に形成された胴部材と底板とにより構成され、肩部材が前記胴部材の上端に取付けられた液体貯留ポットがある（特許文献１）。特許文献１に記載の液体貯留ポットでは、前記肩部材が前記胴部材と嵌合する環状に形成されている。前記肩部材の外周面上端には、前記胴部材の上端に形成された段部と組み合わされる鍔部が形成されており、前記肩部材の内周面には、前記内容器の外周面上端に形成されたフランジが係合される水平面が形成されている。前記肩部材は、前記フランジが水平面に係合支持され、かつ、前記内容器の底面に取付けられた固定金具を介して前記内容器を前記底板にネジ止めした状態で、前記フランジで前記胴部材に引き付けられて固定される。
【０００３】
【特許文献１】特開２００２−３６９７４７号公報（段落００１６〜００１９、図１、図４参照）
【０００４】
特許文献１に記載の液体貯留ポットでは、上記構成により、前記蓋体を閉じると、前記肩部材の上面が覆われ、側面のみが露出するようになっている。ところが、最近の消費者は、デザイン性を重視して液体貯留ポットを選択するようになっており、液体貯留ポットの見映えをより向上させることが求められている。そこで、液体貯留ポットの表面に装飾部材を取付けたり、前記外装体や前記蓋体に塗装や表面処理を施したりすることが行われている。
【発明の開示】
【発明が解決しようとする課題】
【０００５】
しかしながら、特許文献１に記載の液体貯留ポットでは、前記肩部材が、電熱ヒータに加熱される内容器からの伝熱などにより１００℃を超える温度となるので、耐熱性に優れたポリプロピレン樹脂製とされている。このポリプロピレン樹脂は塗装性が悪く、塗装を施しても塗膜が剥がれ易いため、特許文献１に記載の液体貯留ポットでは、前記肩部材に塗装を施す場合、十分な下地処理を行った上で重ね塗りを施す必要がある。
【０００６】
このため、前記肩部材の塗装を諦め、前記外装体と前記蓋体にのみ塗装を施すこともあった。しかしながら、特許文献１に記載の液体貯留ポットは、前記肩部材が、前記胴部材の上端に係合されており、前記外装体と前記蓋体との間から露出するものである。それ故、特許文献１に記載の液体貯留ポットでは、前記肩部材が前記外装体や前記蓋体と異なる色彩や材質感を現すため、全体として一体感のある色彩や材質感を醸し出すことが難しいという問題があった。
【０００７】
そこで、この発明の課題は、全体として一体感のある色彩や材質感を醸し出すことが容易な液体貯留ポットを提供することにある。
【課題を解決するための手段】
【０００８】
上記課題を解決するため、この発明は、内容器の周囲を囲む上端開放の胴部材と肩部材とで外装体を構成し、前記外装体の開口部を閉塞する蓋体を備え、前記胴部材の開口部に取付けた肩部材を介して前記内容器を前記外装体に取付けた液体貯留ポットにおいて、前記肩部材を、前記胴部材の開口部に取付けられる係止部材と、前記内容器を支持する肩部材本体とから構成し、前記係止部材と前記肩部材本体とを結合一体化したことを特徴とする構成を採用した。
【０００９】
上記構成によれば、前記肩部材を、前記胴部材の開口部に取付けられる係止部材と、前記内容器を支持する肩部材本体とから構成し、前記係止部材と前記肩部材本体とを結合一体化したので、前記係止部材と前記肩部材本体とを異なる材質や異なる塗装を施すことが可能になる。したがって、上記構成によれば、前記係止部材に前記外装体や前記蓋体と同じような表面処理を施すだけで、全体として一体感のある色彩や材質感を醸し出す外観を得ることができる。
【発明の効果】
【００１０】
以上に述べたように、この発明によれば、全体として一体感のある色彩や材質感を醸し出すことが容易な液体貯留ポットを提供することができる。
【発明を実施するための最良の形態】
【００１１】
以下、この発明を実施するための最良の形態に係る液体貯留ポットを添付図面に基づいて説明する。
図１、図２に示すように、液体貯留ポットは、内容器１の周囲を囲む上端開放の外装体２と、この外装体２の開口部を閉塞する蓋体３とを備え、胴部材８の開口部に取付けられた肩部材４を介して内容器１が外装体２に取付けられた構成を有する。
【００１２】
内容器１は、上端開放の有底筒状に形成され、底面の下方に設置された電熱ヒータ７により加熱される。内容器１の周囲を囲む外装体２は、肩部材４と筒状の胴部材８と、胴部材８の下面を閉塞する底板９とにより構成されている。肩部材４は、胴部材８の開口部に取付けられる係止部材５と、内容器１を支持する肩部材本体６とから構成され、係止部材５と肩部材本体６とが結合一体化されたものである。図３、図４に示すように、胴部材８には、上端開放の楕円筒状に形成された上端部１０が設けられている。上端部１０の後方側上端には、切り欠き１２が設けられており、この切り欠き１２には、蓋体３を開閉するためのヒンジ機構１１ａと、ヒンジ機構１１ａから蓋体３を着脱するための着脱機構１１ｂとが設置される。また、上端部１０の上端は、切り欠き１２部分を除いて外径が縮径されており、ここに係止部材５が嵌合される。
【００１３】
図４、図５に示すように、係止部材５は、上端部１０の内周面と嵌合するように環状に形成されている。係止部材５の上端には、前記切り欠き１２の位置に合わせて切り欠くことにより、肩部材本体６に設けられたヒンジ機構１１ａと着脱機構１１ｂが嵌まる嵌合部１４が形成されている。また、係止部材５の上端には、嵌合部１４部分を除いて、上端部１０の上端に嵌合される下向き凹溝１５を有する鍔部１６が形成されている。鍔部１６の上面内周側には、嵌合部１４部分を除いて、肩部材本体６が係合される段部１７が設けられている。
【００１４】
肩部材本体６は、係止部材５の内周面と嵌合するように環状に形成されている。肩部材本体６の外周面上端には、前記段部１７に掛けられる係合鍔部１８が形成されている。図１、図４に示すように、係合鍔部１８の下面の左右両側には、前記鍔部１６の段部１７に連設された上向き凹溝１９に係合されるリブ２０が設けられている。また、肩部材本体６の内周面には、内容器１の外周面上端に形成されたフランジ部２１がシールパッキン２２を介して係合される係合段部２３が形成されている。この係合段部２３は、内容器１と係合された状態で、段上側の内周面で内容器１のフランジ部２１が内外方向に動くことを規制し、段下側の内周面で内容器１の胴部外周面が内外方向に動くことを規制するように設けられている。さらに、係合段部２３の下面には、遮熱材２４が固着された環状リブ２５が形成されている。
【００１５】
また、図４、図７に示すように、肩部材本体６の上面後方側には、凹部１３が形成され、肩部材本体６の上面前方側には、液体貯留ポットの操作部２６が設置されている。凹部１３には、ヒンジ機構１１ａが係合鍔部１８よりも突出しないように設けられている。
【００１６】
また、図４、図６に示すように、肩部材本体６は、係合鍔部１８の下面にボス部２７が形成されている。ボス部２７は、係止部材５の内周面に形成されたボス孔部２８に挿入される。係止部材５と肩部材本体６は、前記段部１７に係合鍔部１８を掛け、上向き凹溝１９にリブ２０を係合し、ボス孔部２８を介してボス部２７をネジ２９で止めることにより結合一体化される。
【００１７】
図１に示すように、係止部材５と肩部材本体６を結合した状態で、係止部材５の下向き凹溝１５を上端部１０の上端に嵌合し、内容器１のフランジ部２１を肩部材本体６の係合段部２３に係合し、内容器１の底面に遮熱板３０を介して固定された脚金具３１を底板９にネジ止めすると、肩部材４は、前記フランジ２１で下方に押さえ付けられる。これと同時に、肩部材４は、肩部材本体６の内周面を介して内容器１を内外方向に位置決めすると共に、肩部材本体６の係合段部２３を介して内容器１を上下方向に支持する。
【００１８】
上記のようにして肩部材４を外装体２に取付けた状態では、図１、図５に示すように、係合鍔部１８の上面と鍔部１６の上面とが同一面となり、肩部材本体６の側面のうち、前記胴部材８の上端よりも上方に位置する部分が、係止部材５の鍔部１６により覆われる。また、図１〜図３に示すように、蓋体３を閉じると、肩部材本体６の上面が蓋体３により覆われる。これにより、液体貯留ポットは、外観上、肩部材本体６の大部分が隠蔽されるものとなり、上記の一体感を醸し出すことがより容易になる。なお、この液体貯留ポットでは、デザイン上許される場合には、肩部材本体６を完全に隠蔽する必要はなく、技術的理由から肩部材本体６の一部を露出させることもできる。
【００１９】
例えば、液体貯留ポットでは、肩部材本体６に形成された湯捨て口３２が蓋体３の開位置側（液体貯留ポットの後方側）であって外装体２に設けられたプラグ受け部３３（図１参照）と反対側の位置に露出している（図２、図３参照）。図４、図７に示すように、湯捨て口３２は、肩部材本体６の一部を外方向へ拡張し係止部材５の上面越しに形成されており、外方に向かう程浅くなる窪み状に設けられている。これにより、内容器１から湯水を捨てる際、係止部材５と肩部材本体６の隙間に浸水することが防止される。
【００２０】
また、液体貯留ポットでは、蓋体３の開閉を容易に行えるようにするため、ヒンジ機構１１ａが前記切り欠き１２に設置されており、肩部材本体６の一部が露出している。
【００２１】
上記構成の液体貯留ポットでは、肩部材本体６が介在する分、内容器１から係止部材５に伝熱し難くなり、係止部材５が高温になることが防止される。これにより、係止部材５には、肩部材本体６ほど耐熱性を有する素材を用いる必要がなくなり、様々な素材を用いることが可能になる。そこで、液体貯留ポットでは、肩部材本体６を、強度と耐熱性に優れた樹脂を用いて形成し、係止部材５を、肩部材本体６よりも塗装性に優れた素材で形成することが好ましい。
【００２２】
具体的には、係止部材５をアクリロニトリル・ブタジエン・スチレン樹脂（以下、ＡＢＳ樹脂という）やアクリロニトリル・スチレン樹脂などのスチレン系樹脂から形成するとよい。ここで、係止部材５の外面に外装体２と蓋体３と同様の塗装を施せば、液体貯留ポットは、上記の部分以外に肩部材本体６が露出していないので、外観上、外装体２と蓋体３が分離せず、一体感のある外観を容易に得ることができる。無論、液体貯留ポットは、係止部材５の素材を肩部材本体６よりも幅広い中から選択可能なものなので、塗装以外にシボ加工などの様々な表面処理を係止部材５に対して容易に施すことができる。
【００２３】
また、液体貯留ポットでは、係止部材５にヒンジ機構１１ａを設けることもできるが、上記のように係止部材５をＡＢＳ樹脂で形成した場合、ＡＢＳ樹脂はポリプロピレン樹脂と比べると柔軟性がなく、強度も弱い。また、係止部材５にヒンジ機構１１ａを設けると、肩部材本体６との係合部分の取付け強度をさらに高める必要がある。そこで、液体貯留ポットでは、肩部材本体６をポリプロピレン樹脂などから形成すると共に、肩部材本体６にヒンジ機構１１ａを設けることが好ましい。これにより、液体貯留ポットは、ヒンジ機構１１ａの耐久性を確保しつつ一体感のある外観を容易に得ることができる。
【図面の簡単な説明】
【００２４】
【図１】実施形態に係る液体貯留ポットの概略断面図。
【図２】同上の全体斜視図。
【図３】同上の後方側を示す部分斜視図。
【図４】同上の係止部材と肩部材本体の取付けを示す分解斜視図。
【図５】図２のＶ−Ｖ線の部分拡大断面図。
【図６】図３のＶＩ−ＶＩ線の部分拡大断面図。
【図７】同上の蓋体を開放した状態を示す部分拡大斜視図。
【符号の説明】
【００２５】
１  内容器
２  外装体
３  蓋体
４  肩部材
５  係止部材
６  肩部材本体
７  電熱ヒータ
８  胴部材
９  底板
１０  上端部
１１ａ  ヒンジ機構
１１ｂ  着脱機構
１２  切り欠き
１３  凹部
１４  嵌合部
１５  下向き凹溝
１６  鍔部
１７  段部
１８  係合鍔部
１９  上向き凹溝
２０  リブ
２１  フランジ部
２２  シールパッキン
２３  係合段部
２４  遮熱材
２５  環状リブ
２６  操作部
２７  ボス部
２８  ボス孔部
２９  ネジ
３０  遮熱板
３１  脚金具
３２  湯捨て口
３３  プラグ受け部
【図１】
2005342019.tif 000003
【図２】
2005342019.tif 000004
【図３】
2005342019.tif 000005
【図４】
2005342019.tif 000006
【図５】
2005342019.tif 000007
【図６】
2005342019.tif 000008
【図７】
2005342019.tif 000009